(57)【要約】      （修正有）【課題】楽曲の再生品質と会話の聞き取りやすさを両立させる音響効果付与装置を提供する。【解決手段】エフェクター又は音響効果付与装置は、音響信号を入力する入力部と、減衰パターンにより、入力した音響信号を相対的に減衰させる変調部と、変調した音響信号を出力する出力部と、を備える「相対的に減衰」の基準となる値は、80〜4000Hzを除く可聴域20Hz〜20000Hzをデシベルで表したときの中央値とする。【選択図】図１
2020028028.tif 000002
【特許請求の範囲】
【請求項１】
音響信号を入力する入力部と、
下記８条件の少なくともいずれかに該当するような減衰パターンにより、入力した音響信号を減衰させる変調部と、
変調した音響信号を出力する出力部と、
を備えることを特徴とするエフェクター。
[楽曲の再生品質の維持と会話の聞き取りやすさの向上を両立させるための条件]
条件1: 80-125Hzと重複のある範囲で、0.67〜1.41Q（1〜2オクターブ）の幅で連続的に3dB以上相対的に減衰
条件2: 160-250Hzと重複のある範囲で、0.51〜0.92Q（1.5〜2.5オクターブ）の幅で連続的に3dB以上相対的に減衰
条件3: 315-500Hzと重複のある範囲で、0.40〜0.92Q（1.5〜3オクターブ）の幅で連続的に1.5dB以上相対的に減衰
条件4: 315-500Hzと重複のある範囲で、0.51〜2.87Q（0.5〜2.5オクターブ）の幅で連続的に3dB以上相対的に減衰
条件5: 630-1000Hzと重複のある範囲で、0.40〜1.41Q（1〜3オクターブ）の幅で連続的に1.5dB以上相対的に減衰
条件6: 630-1000Hzと重複のある範囲で、0.40〜2.87Q（0.5〜3オクターブ）の幅で連続的に3dB以上相対的に減衰
条件7: 1250-2000Hzと重複のある範囲で、0.40〜0.92Q（1.5〜3オクターブ）の幅で連続的に1.5dB以上相対的に減衰
条件8: 1250-2000Hzと重複のある範囲で、0.67〜2.87Q（0.5〜2オクターブ）の幅で連続的に3dB以上相対的に減衰
なお、「相対的に減衰」の基準となる値は、80〜4000Hzを除く可聴域20Hz〜20000Hzを対数軸で表したときのデシベルの中央値とする。
【請求項２】
前記変調部が機能した際に会話が聞き取りやすくなる効果が現れることをユーザーに伝える表示部を備える請求項１記載のエフェクター。
【請求項３】
オーディオコンテンツを音響信号として再生する再生部と、
請求項１に記載された前記８条件の少なくともいずれかに該当するような減衰パターンにより、入力した音響信号を減衰させる前記変調部と、
変調した音響信号を出力する出力部と、
を備えることを特徴とするオーディオ再生装置。
【請求項４】
前記変調部が機能した際に会話が聞き取りやすくなる効果が現れることをユーザーに伝える表示部を備える請求項３記載のオーディオ再生装置。
【請求項５】
複数の音響信号を入力する入力部と、
各音響信号を合成する合成部と、
合成後の音響信号を出力する出力部と、
合成部の前あるいは後の少なくとも一方に配置され、請求項１に記載された前記８条件の少なくともいずれかに該当するような減衰パターンにより、入力した音響信号を減衰させる前記変調部と
を備えることを特徴とする音響信号合成装置。
【請求項６】
前記変調部が機能した際に会話が聞き取りやすくなる効果が現れることをユーザーに伝える表示部を備える請求項５記載の音響信号合成装置。
【請求項７】
音響信号を入力する入力部と、
請求項１に記載された前記８条件の少なくともいずれかに該当するような減衰パターンにより、入力した音響信号を減衰させる前記変調部と、
変調した音響信号を増幅する増幅部と、
変調し増幅した音響信号を出力する出力部と、
を備えることを特徴とする音響信号増幅装置。
【請求項８】
前記変調部が機能した際に会話が聞き取りやすくなる効果が現れることをユーザーに伝える表示部を備える請求項７記載の音響信号増幅装置。
【請求項９】
音響信号を入力する入力部と、
請求項１に記載された前記８条件の少なくともいずれかに該当するような減衰パターンにより、入力した音響信号を減衰させる前記変調部と、
変調した音響信号を音として出力する振動部と、
を備えることを特徴とするスピーカー。
【請求項１０】
変調部が機能した際に会話が聞き取りやすくなる効果が現れることをユーザーに伝える表示部を備える請求項９記載のスピーカー。
【発明の詳細な説明】
【技術分野】
【０００１】
本発明は、楽曲の再生品質と会話の聞き取りやすさを両立させる音響効果を付与する装置に関するものである。
【背景技術】
【０００２】
商業施設や公共施設など、人が集まる空間では、空間演出のために楽曲をBGMとして再生することが広く行われている。BGM再生では一般に、音量を十分に下げることで、BGMが会話の妨げとならないようにする。しかし、音量がある一定以下になると楽曲の細部が表現されにくくなるため、楽曲の再生品質が急激に劣化する。本発明は、人が集まる空間における会話の周波数の特徴を利用し、会話の聞き取りやすさに大きな影響を与える周波数帯域においてBGMの音信号を局所的に減衰させることにより、BGMが会話の妨げとならないようにしつつ、楽曲の再生品質を可能な限り維持する。
【０００３】
従来、特許文献１が開示されている。これによれば「オーディオ出力装置」であって、ハンズフリー通話の妨げとならない範囲で、ラジオ受信機で受信した音楽をユーザーが聴くことができるように出力している。
【先行技術文献】
【特許文献】
【０００４】
【特許文献１】特開２００３−２６３８７２号公報
【０００５】
特許文献１では、楽曲再生がハンズフリー通話の妨げとならないよう、ハンズフリー通話で用いられる周波数帯域において楽曲の音信号を減衰させている。電話機による会話を対象としている点で本発明と状況は異なるが、会話を聞き取りやすくするという目的のために、周波数帯域における音信号の衝突を軽減するというアプローチを用いている点で、本発明の目的および着想と近い。
しかし、特許文献１は、楽曲の再生がハンズフリー通話の妨げとならないことを主な目的としており、楽曲の再生品質については考慮していない。
【発明の概要】
【発明が解決しようとする課題】
【０００６】
ＢＧＭの音量は通常、ＢＧＭが流れる空間にいる人々の会話を妨げない程度に下げられる。しかし、会話を全く妨げない程度にまでＢＧＭの音量を下げれば、楽曲の細部が十分に表現されなくなり、楽曲の再生品質が大きく劣化する。また、再生品質があまり劣化しない程度に音量を上げた場合、ＢＧＭと会話の音が衝突し、会話が聞き取りづらくなる。ＢＧＭとして再生する楽曲の再生品質と会話の聞き取りやすさを両立させることは、音量の調節だけでは解決困難な課題である。
【０００７】
本発明の課題は、楽曲の再生品質と会話の聞き取りやすさを両立させる音響効果を付与する装置を提供する点にある。
【課題を解決するための手段】
【０００８】
人が集まる空間における会話は、声の周波数の観点からみると主に二種類に区別できる。一つは近くの場所にいる人に話しかける声、もう一つは離れた場所にいる人に呼び掛ける張った声である。これらの声の周波数帯域のうち、声の聞き取りやすさに大きな影響を与える部分は、それぞれ80〜125Hz、160〜250Ｈｚ、315〜500Ｈｚ、630〜1000Ｈｚ、1250〜2000Ｈｚを中心とした帯域である。したがって、これらの帯域を含む局所的な周波数帯域においてBGMの音信号を減衰させることで、人が集まる空間における会話とBGMの音の衝突を軽減できる。また、減衰させる周波数帯域を可聴域全体に比べて十分に狭くすることで、聴感上の音量低下や音の変質があまり発生しなくなり、楽曲の再生品質が維持しやすくなる。
【０００９】
本発明は、音響信号を入力する入力部と、
楽曲の再生品質と楽曲を再生する空間における会話の聞き取りやすさを両立させるため、下記8条件の少なくともいずれかに該当するような減衰パターンにより、入力した音響信号を減衰させる変調部と、
変調した音響信号を出力する出力部と、
を備えることを特徴とするエフェクター又は音響効果付与装置である。
[楽曲の再生品質と会話の聞き取りやすさを両立させるための条件]
条件1: 80-125Hzと重複のある範囲で、0.67〜1.41Q（1〜2オクターブ）の幅で連続的に3dB以上相対的に減衰
条件2: 160-250Hzと重複のある範囲で、0.51〜0.92Q（1.5〜2.5オクターブ）の幅で連続的に3dB以上相対的に減衰
条件3: 315-500Hzと重複のある範囲で、0.40〜0.92Q（1.5〜3オクターブ）の幅で連続的に1.5dB以上相対的に減衰
条件4: 315-500Hzと重複のある範囲で、0.51〜2.87Q（0.5〜2.5オクターブ）の幅で連続的に3dB以上相対的に減衰
条件5: 630-1000Hzと重複のある範囲で、0.40〜1.41Q（1〜3オクターブ）の幅で連続的に1.5dB以上相対的に減衰
条件6: 630-1000Hzと重複のある範囲で、0.40〜2.87Q（0.5〜3オクターブ）の幅で連続的に3dB以上相対的に減衰
条件7: 1250-2000Hzと重複のある範囲で、0.40〜0.92Q（1.5〜3オクターブ）の幅で連続的に1.5dB以上相対的に減衰
条件8: 1250-2000Hzと重複のある範囲で、0.67〜2.87Q（0.5〜2オクターブ）の幅で連続的に3dB以上相対的に減衰
なお、「相対的に減衰」の基準となる値は、80〜4000Hzを除く可聴域20Hz〜20000Hzを対数軸で表したときのデシベルの中央値とする。
【００１０】
また本発明は、前記変調部が機能した際に会話が聞き取りやすくなる効果が現れることをユーザーに伝える更に表示部を備えるエフェクター又は音響効果付与装置である。
【００１１】
また本発明は、  
オーディオコンテンツを音響信号として再生する再生部と、
楽曲の再生品質と楽曲を再生する空間における会話の聞き取りやすさを両立させるため、請求項１に記載された前記8条件の少なくともいずれかに該当するような減衰パターンにより、入力した音響信号を減衰させる前記変調部と、
変調した音響信号を出力する出力部と、
を備えることを特徴とするプレーヤー又はオーディオ再生装置である。
また本発明は、前記変調部が機能した際に会話が聞き取りやすくなる効果が現れることをユーザーに伝える更に表示部を備えるプレーヤー又はオーディオ再生装置である。
【００１２】
また本発明は、
複数の音響信号を入力する入力部と、
各音響信号を合成する合成部と、
合成後の音響信号を出力する出力部と、
合成部の前あるいは後の少なくとも一方に配置され、楽曲の再生品質と楽曲を再生する空間における会話の聞き取りやすさを両立させるため、請求項１に記載された前記8条件の少なくともいずれかに該当するような減衰パターンにより、入力した音響信号を減衰させる前記変調部と、
を備えることを特徴とするミキサー又は音響信号合成装置である。
また本発明は、前記変調部が機能した際に会話が聞き取りやすくなる効果が現れることをユーザーに伝える更に表示部を備えるミキサー又は音響信号合成装置である。
【００１３】
また本発明は、
音響信号を入力する入力部と、
楽曲の再生品質と楽曲を再生する空間における会話の聞き取りやすさを両立させるため、請求項１に記載された前記8条件の少なくともいずれかに該当するような減衰パターンにより、入力した音響信号を減衰させる前記変調部と、
変調した音響信号を増幅する増幅部と、
変調し増幅した音響信号を出力する出力部と、
を備えることを特徴とするアンプ又は音響信号増幅装置である。
また本発明は、前記変調部が機能した際に会話が聞き取りやすくなる効果が現れることをユーザーに伝える更に表示部を備えるアンプ又は音響信号増幅装置である。
【００１４】
また本発明は、
音響信号を入力する入力部と、
請求項１に記載された前記８条件の少なくともいずれかに該当するような減衰パターンにより、入力した音響信号を減衰させる前記変調部と、
変調した音響信号を音として出力する振動部と、
を備えることを特徴とするスピーカーである。
また本発明は、前記変調部が機能した際に会話が聞き取りやすくなる効果が現れることをユーザーに伝える更に表示部を備えるスピーカーである。
【発明の効果】
【００１５】
本発明はBGMが流れる空間における人々の会話を妨げないようにしつつ、BGMとして流す楽曲の再生品質を極力維持することができる利点がある。
【図面の簡単な説明】
【００１６】
【図１】本発明のエフェクター又は音響効果付与装置の一実施形態を示すブロック図である。
【図２】表示部を備えた同他実施形態を示すブロック図である。
【図３】本発明のプレーヤー又はオーディオ再生装置の一実施形態を示すブロック図である。
【図４】表示部を備えた同他実施形態を示すブロック図である。
【図５】本発明のミキサー又は音響信号合成装置の一実施形態を示すブロック図である。
【図６】表示部を備えた同他実施形態を示すブロック図である。
【図７】本発明のアンプ又は音響信号増幅装置の一実施形態を示すブロック図である。
【図８】表示部を備えた同他実施形態を示すブロック図である。
【図９】本発明のスピーカーの一実施形態を示すブロック図である。
【図１０】表示部を備えた同他実施形態を示すブロック図である。
【発明を実施するための形態】
【００１７】
（実施形態１）
図１は本発明のエフェクター又は音響効果付与装置の一実施形態を示すブロック図である。図２は表示部を備えた同他実施形態を示すブロック図である。エフェクターは音響信号１を入力する入力部２と、楽曲の再生品質と楽曲を再生する空間における会話の聞き取りやすさを両立させるため、下記8条件の少なくともいずれかに該当するような減衰パターンにより、入力した音響信号を減衰させる変調部３と、変調した音響信号５を出力する出力部４と、を備えている。
本実施形態は、店舗に備え付けの演奏装置を用いてBGM再生を行う際に、アナウンスや空間内の人の会話を聞き取りやすくするため、オーディオ再生装置からスピーカーまでの間に本発明の変調を行うエフェクターを組み込み、BGMを変調する。これにより、再生品質を維持しつつアナウンスや会話の声の聞き取りやすさを向上させる。
【００１８】
前記エフェクターは、音響信号を入力とし（入力部２）、後述する実施例によって解明した、再生品質を維持したまま会話の聞き取りやすさを向上させるパラメータによって音響信号を変調させ（変調部３）、変調した音響信号を出力する（出力部４）。ここで後述する実施例とは、楽曲の再生品質と会話の聞き取りやすさを両立させるための条件であり、次の条件１〜８の少なくともいずれかに該当するような減衰パターンにより、入力した音響信号を減衰させる前記変調部である。
条件1: 80-125Hzと重複のある範囲で、0.67〜1.41Q（1〜2オクターブ）の幅で連続的に3dB以上相対的に減衰
条件2: 160-250Hzと重複のある範囲で、0.51〜0.92Q（1.5〜2.5オクターブ）の幅で連続的に3dB以上相対的に減衰
条件3: 315-500Hzと重複のある範囲で、0.40〜0.92Q（1.5〜3オクターブ）の幅で連続的に1.5dB以上相対的に減衰
条件4: 315-500Hzと重複のある範囲で、0.51〜2.87Q（0.5〜2.5オクターブ）の幅で連続的に3dB以上相対的に減衰
条件5: 630-1000Hzと重複のある範囲で、0.40〜1.41Q（1〜3オクターブ）の幅で連続的に1.5dB以上相対的に減衰
条件6: 630-1000Hzと重複のある範囲で、0.40〜2.87Q（0.5〜3オクターブ）の幅で連続的に3dB以上相対的に減衰
条件7: 1250-2000Hzと重複のある範囲で、0.40〜0.92Q（1.5〜3オクターブ）の幅で連続的に1.5dB以上相対的に減衰
条件8: 1250-2000Hzと重複のある範囲で、0.67〜2.87Q（0.5〜2オクターブ）の幅で連続的に3dB以上相対的に減衰
なお、「相対的に減衰」の基準となる値は、80〜4000Hzを除く可聴域20Hz〜20000Hzを対数軸で表したときのデシベルの中央値とする。
【００１９】
図２に示す様に、前記エフェクターに、さらに会話の聞き取りやすさを向上させる効果が発揮していることを示す表示部６を備えることで、変調部３が機能していることをユーザーが認識できるようになる。前記変調部３が有効／無効状態を切り替えられるような設計であれば、表示灯やディスプレイなどを表示部６とし、変調部３が有効状態になっている間は会話が聞き取りやすくなる効果が発生していることをユーザーに伝える。前記変調部３の状態が常に有効となるような設計であれば、装置に印字したりシールを張ったりするなど表示の状態を容易に変更できない手段であっても表示部６として機能し、会話の聞き取りやすさを向上させる効果があることをユーザーに伝えることができる。また、前記変調部３の状態が常に有効となるような設計であるとき、会話が聞き取りやすくなる効果があることをユーザーが認識できるような表示が装置自体になくても、装置の説明書やWebページなどにそのことを記述しておけば、装置の名前や型番などを手がかりとしてそのことをユーザーが認識できる。したがって、装置が会話の聞き取りやすさを向上させる効果を有することを装置と離れた場所に表記している場合であっても、装置の名前や型番など装置を指し示すものからすぐにその情報を参照できる状態であれば、表示部６の役割を担うことができる。
【００２０】
本発明の変調を行うための装置として、エフェクターの代わりに、音響効果の付与が主目的ではない装置としてオーディオ再生装置（図３）、ミキサー（図５）、アンプ（図７）、あるいはスピーカー（図９）のいずれかに変調部を組み込んだ構成としてもよい。
図３はオーディオ再生装置であり、７はオーディオコンテンツ、８はそのオーディオコンテンツ７を音響信号として再生する再生部であり、９は前記８条件の少なくともいずれかに該当するような減衰パターンにより、入力した音響信号を減衰させる前記変調部であり、１０は変調した音響信号１１を出力する出力部である。これにより、本発明を導入する以前の演奏装置一式と比較して、装置の個数を増加させることなく、再生品質を維持しつつ会話の聞き取りやすさを向上させる効果を生み出せる。
図５はミキサーであり、複数の音響信号１２を入力する入力部１３と、各音響信号を合成する合成部１4と、合成後の音響信号を出力する出力部１５と、合成部１４の前あるいは後の少なくとも一方に配置され、楽曲の再生品質と楽曲を再生する空間における会話の聞き取りやすさを両立させるため、前記８条件の少なくともいずれかに該当するような減衰パターンにより、入力した音響信号を減衰させる変調部1６である。これにより、本発明を導入する以前の演奏装置一式と比較して、装置の個数を増加させることなく、再生品質を維持しつつ会話の聞き取りやすさを向上させる効果を生み出せる。
図7はアンプであり、１７は音響信号、音響信号１７を入力する入力部1８と、楽曲の再生品質と楽曲を再生する空間における会話の聞き取りやすさを両立させるため、前記８条件の少なくともいずれかに該当するような減衰パターンにより、入力した音響信号を減衰させる前記変調部1９と、変調した音響信号を増幅する増幅部２０と、変調し増幅した音響信号を出力する出力部２１である。これにより、本発明を導入する以前の演奏装置一式と比較して、装置の個数を増加させることなく、再生品質を維持しつつ会話の聞き取りやすさを向上させる効果を生み出せる。
図９はスピーカーであり、２２は音響信号、音響信号２２を入力する入力部２３と、前記８条件の少なくともいずれかに該当するような減衰パターンにより、入力した音響信号を減衰させる前記変調部２４と、変調した音響信号を音として出力する振動部２５を備えている。これにより、本発明を導入する以前の演奏装置一式と比較して、装置の個数を増加させることなく、再生品質を維持しつつ会話の聞き取りやすさを向上させる効果を生み出せる。
【００２１】
オーディオ再生装置（図３）、ミキサー（図５）、アンプ（図７）、あるいはスピーカー（図９）のいずれかに変調部を組み込んだ構成とする際に、図４、図６、図８又は図１０に示す前記表示部２６、２７、２８又は２９を備えることで、変調部が機能していることをユーザーが認識できるようになる。
【００２２】
店舗に備え付けられた演奏装置以外でも、居室、車中など、人が会話を行う空間に備え付けられた演奏装置を用いてもよい。
【００２３】
備え付けの演奏装置の代わりに、イベント会場などで一時的に設置された演奏装置を用いてもよい。
【００２４】
本発明の変調を行うエフェクターにより、事前にオーディオコンテンツを音響信号として処理し変調を行い、出力した音響信号を変調済みのオーディオコンテンツとして保存してもよい。これにより、オーディオ再生装置からスピーカーまでの間に前記変調部を備えたエフェクターを組み込む必要がないため、店舗に備え付けの演奏装置一式に変更を加えることなく、再生品質を維持しつつ会話の聞き取りやすさを向上させることができる。
【００２５】
（実施形態２）
オーディオコンテンツの収録や編集の際、ナレーションや演者の声を聞き取りやすくするため、声に重ねて流すBGMに対して本発明の変調を行うエフェクターを組み込み、BGMを変調する。これにより、再生品質を維持しつつナレーションや演者の声の聞き取りやすさを向上させることができる。
前記のエフェクターを組み込む代わりに、BGMを声に重ねて流す際に用いられるオーディオ再生装置（図３）あるいはミキサー（図５）に変調部を組み込んだ構成としてもよい。これにより、オーディオコンテンツの収録や編集に通常用いる装置の個数を増加させることなく、BGMの再生品質を維持しつつ会話の聞き取りやすさを向上させる効果を生み出せる。オーディオコンテンツの収録や編集の代わりに、オーディオを含む放送やストリーミング配信を行う場合であってもよい。
【実施例】
【００２６】
より幅広い範囲で、より大きく音響信号を減衰させれば、会話の聞き取りやすさは向上しやすくなるが、それに伴い、楽曲の再生品質は劣化しやすくなる。一方で、より狭い範囲で、より小さく音響信号を減衰させれば、楽曲の再生品質は維持しやすくなるが、それに伴い、会話の聞き取りやすさは向上しにくくなる。
そこで、楽曲の再生品質と会話の聞き取りやすさを両立できるような減衰のさせ方を明らかにするため、実験を行った。
【００２７】
周波数帯域ごとの音響信号の出力を調整する装置であるイコライザーを用いて実験を行った。なお本実験では、減衰の大きさや減衰させる周波数帯域の幅についての条件を探るため、中心周波数、ゲイン（減衰の大きさを決める値）、Q値を指定して音響信号を減衰させるパラメトリックイコライザーを用いた。
なお、Q値とは、ゲインの絶対値が６より小さい場合はゲインの半分の値、ゲインの絶対値が６以上の場合は絶対値が３dB小さい値となる帯域の幅を決めるための、振動の状態を表す係数である。例えば、ゲインが−９dBでQ値が０．６７（２オクターブ幅）の場合、６dB以上減衰する帯域が、中心周波数を中心として2オクターブの幅で発生する。
【００２８】
人の声の周波数の基音は一般に、男性で８０〜１８０Hz、女性で１６５〜２５５Hzである（Ingo R. Titze, Principles of Voice Production, Allyn & Bacon Publishing, United States, 1994.）。
そこで本実験では、人の声の基音から１６倍音までの８０〜４０００Hzの周波数帯域で、各オクターブでどの程度の幅で何デシベル、音響信号を減衰させると、楽曲の再生品質をあまり損なわず、かつ楽曲を再生する空間における会話の聞き取りやすさを向上させられるかを検証した。
オクターブ内の周波数を対数軸で均等に３分割したうちの中心の値を代表点とし、中心周波数として設定した。具体的には、１００Hz（８０〜１２５Hzの代表点）、２００Hz（１６０〜２５０Hzの代表点）、４００Hz（３１５〜５００Hzの代表点）、８００Hz（６３０〜１０００Hzの代表点）、１６００Hz（１２５０〜２０００Hzの代表点）、３２００Hz（２５００〜４０００Hzの代表点）を中心周波数とした。
【００２９】
ゲインとして、−３dB（Ｑ値に対応する帯域幅で１．５dB減衰）、−６dB（Ｑ値に対応する帯域幅で３dB減衰）、−９dB（Ｑ値に対応する帯域幅で６dB減衰）を採用した。
Ｑ値として、０．２５オクターブ〜３オクターブの幅に対応させるため、５．７８（０．２５オクターブ幅）、２．８７（０．５オクターブ幅）、１．４１（１オクターブ幅）、０．９２（１．５オクターブ幅）、０．６７（２オクターブ幅）、０．５１（２．５オクターブ幅）、０．４０（３オクターブ幅）を採用した。なお、３オクターブより大きい幅については、再生時の音量が低下する効果が大きくなるため除外した。
【００３０】
第一の実験では、中心周波数、ゲイン、Q値の各組み合わせで音響信号を減衰させた楽曲を再生し、再生品質に関して評価を行った。
【００３１】
３人の被験者が５段階で評価した。５段階のうち、減衰なしの場合と変化がなければ５、再生品質に影響はあるが楽曲の音が変質しない程度であれば４あるいは３、楽曲の音が変質する程度に再生品質が劣化するならば２あるいは１となるよう基準を定めた。３人の被験者のうち２人以上が３以上のスコアを付けた場合に、再生品質が維持できるとみなした。
【００３２】
なお、同じ中心周波数とゲインでは、Q値が小さくなればなるほど中心周波数の周辺帯域における音響信号がより大きく減衰するため、再生品質が劣化するという関係性がある。そこで、再生品質を維持できる設定値の境界が判明した場合には、同じ中心周波数とゲインによる評価を一部省略した。
【００３３】
表1は再生品質に関する評価結果である。中心周波数とゲインごとに、楽曲の音が変質しない程度に再生品質を維持できるようなQ値の範囲を下記にまとめる。
【００３４】
【表１−１】
2020028028.tif 000003
【００３５】
【表１−２】
2020028028.tif 000004
【００３６】
100Hz -3dB: 0.40Q〜（〜3オクターブ幅で-1.5dB）
100Hz -6dB: 0.67Q〜（〜2オクターブ幅で-3dB）
100Hz -9dB: 2.87Q〜（〜0.5オクターブ幅で-6dB）
200Hz -3dB: 0.40Q〜（〜3オクターブ幅で-1.5dB）
200Hz -6dB: 0.51Q〜（〜2.5オクターブ幅で-3dB）
200Hz -9dB: 1.41Q〜（〜1オクターブ幅で-6dB）
400Hz -3dB: 0.40Q〜（〜3オクターブ幅で-1.5dB）
400Hz -6dB 0.51Q〜（〜2.5オクターブ幅で-3dB）
400Hz -9dB 1.41Q〜（〜1オクターブ幅で-6dB）
800Hz -3dB: 0.40Q〜（〜3オクターブ幅で-1.5dB）
800Hz -6dB: 0.40Q〜（〜3オクターブ幅で-3dB）
800Hz -9dB: 0.92Q〜（〜1.5オクターブ幅で-6dB）
1600Hz -3dB: 0.40Q〜（〜3オクターブ幅で-1.5dB）
1600Hz -6dB: 0.67Q〜（〜2オクターブ幅で-3dB）
1600Hz -9dB: 2.87Q〜（〜0.5オクターブ幅で-6dB）
3200Hz -3dB: 0.40Q〜（〜3オクターブ幅で-1.5dB）
3200Hz -6dB: 2.87Q〜（〜0.5オクターブ幅で-3dB）
3200Hz -9dB: 5.78Q〜（〜0.25オクターブ幅で-6dB）
【００３７】
第二の実験では、第一の実験で再生品質が維持できると判定された中心周波数、ゲイン、Q値の組み合わせで音響信号を減衰させた楽曲を再生し、再生中の会話の聞き取りやすさに関して評価を行った。
【００３８】
３人の被験者が３段階で評価した。３段階のうち、声が聞き取りやすくなる効果を実感できた場合は２、声が聞き取りやすくなる効果をやや実感できた場合は１、声が聞き取りやすくなる効果を実感できなければ０となるよう基準を定めた。３人の被験者のうち２人以上が１以上のスコアを付けた場合に、声が聞き取りやすくなる効果があるとみなした。
【００３９】
なお、同じ中心周波数とゲインでは、Q値が大きくなればなるほど中心周波数の周辺帯域における音響信号の減衰の大きさが小さくなるため、声を聞き取りやすくなる効果が薄れるという関係性がある。そこで、声を聞き取りやすくなる効果を発揮する設定値の境界が判明した場合には、同じ中心周波数とゲインによる評価を一部省略した。
【００４０】
表2は会話の聞き取りやすさに関する評価結果である。中心周波数とゲインごとに、会話を聞き取りやすくする効果を発揮するようなQ値の範囲を下記にまとめる。
【００４１】
【表２−１】
2020028028.tif 000005
【００４２】
【表２−２】
2020028028.tif 000006
【００４３】
100Hz -3dB: 該当なし
100Hz -6dB: 〜1.41Q（1オクターブ幅〜で-3dB）
100Hz -9dB: 該当なし
200Hz -3dB: 0.40Q（3オクターブ幅で-1.5dB）
200Hz -6dB: 〜0.92Q（1.5オクターブ幅〜で-3dB）
200Hz -9dB: 〜1.41Q（1オクターブ幅〜で-6dB）
400Hz -3dB: 〜0.92Q（1.5オクターブ幅〜で-1.5dB）
400Hz -6dB: 〜2.87Q （0.5オクターブ幅〜で-3dB）
400Hz -9dB: 〜5.78Q（0.25オクターブ幅〜で-6dB）
800Hz -3dB: 〜1.41Q（1オクターブ幅〜で-1.5dB）
800Hz -6dB: 〜2.87Q（0.5オクターブ幅〜で-3dB）
800Hz -9dB: 〜5.78Q（0.25オクターブ幅〜で-6dB）
1600Hz -3dB: 〜0.92Q（1.5オクターブ幅〜で-1.5dB）
1600Hz -6dB: 〜2.87Q（0.5オクターブ幅〜で-3dB）
1600Hz -9dB: 〜5.78Q（0.25オクターブ幅〜で-6dB）
3200Hz -3dB: 0.40Q（3オクターブ幅で-1.5dB）
3200Hz -6dB: 該当なし
3200Hz -9dB: 該当なし
【００４４】
表１、表２の結果より、楽曲の再生品質と会話の聞き取りやすさを両立できるようなゲインとQ値の条件は、各オクターブの周波数帯域ごとに下記のようにまとめられる。
100Hz周辺（80〜125Hz）:
-6dB: 0.67〜1.41Q（1〜2オクターブ幅で-3dB）
200Hz周辺（160〜250Hz）:
-3dB: 0.40Q（3オクターブ幅で-1.5dB）
-6dB: 0.51〜0.92Q（1.5〜2.5オクターブ幅で-3dB）
-9dB: 1.41Q（1オクターブ幅で-6dB）
400Hz周辺（315〜500Hz）:
-3dB: 0.40〜0.92Q（1.5〜3オクターブ幅で-1.5dB）
-6dB: 0.51〜2.87Q（0.5〜2.5オクターブ幅で-3dB）
-9dB: 1.41〜5.78Q（0.25〜1オクターブ幅で-6dB）
800Hz周辺（630〜1000Hz）:
-3dB: 0.40〜1.41Q（1〜3オクターブ幅で-1.5dB）
-6dB: 0.40〜2.87Q（0.5〜3オクターブ幅で-3dB）
-9dB: 0.92〜5.78Q（0.25〜1.5オクターブ幅で-6dB）
1600Hz周辺（1250〜2000Hz）:
-3dB: 0.40〜0.92Q（1.5〜3オクターブ幅で-1.5dB）
-6dB: 0.67〜2.87Q（0.5〜2オクターブ幅で-3dB）
-9dB: 2.87〜5.78Q（0.25〜0.5オクターブ幅で-6dB）
3200Hz周辺（2500〜4000Hz）:
-3dB: 0.40Q（3オクターブ幅で-1.5dB）
【００４５】
上記のうち、２００Hz、４００Hz、８００Hz、１６００Hz周辺のオクターブにおけるゲイン−９dBの条件は、同オクターブにおけるゲイン−６dBの条件（指定した幅の範囲内で−３dB以上減衰）の範囲にちょうど収まる。この関係性から、各オクターブにおけるゲイン−６dBの条件（指定した幅の範囲内で−３dB以上減衰させるという条件）は、同オクターブのゲイン−９dBの条件を併合できる。
【００４６】
また、２００Hzおよび３２００Hz周辺のオクターブにおける−３dBの条件は、楽曲の再生品質と会話の聞き取りやすさを両立するようなＱ値が単一点であり、範囲として条件化できないため、本発明の条件から外す。
【００４７】
最終的に、本実験の結果から、以下の８つの条件の少なくとも1つを満たすような減衰のさせ方を行うことで、楽曲の再生品質と会話の聞き取りやすさを両立させるための必要条件を満たすことができる。ただし、他の周波数帯域でも音響信号の減衰あるいは増幅を行う場合、前記の必要条件を満たしていても、楽曲の再生品質が劣化することはありうる。
条件1: 80-125Hzと重複のある範囲で、0.67〜1.41Q（1〜2オクターブ）の幅で連続的に3dB以上相対的に減衰
条件2: 160-250Hzと重複のある範囲で、0.51〜0.92Q（1.5〜2.5オクターブ）の幅で連続的に3dB以上相対的に減衰
条件3: 315-500Hzと重複のある範囲で、0.40〜0.92Q（1.5〜3オクターブ）の幅で連続的に1.5dB以上相対的に減衰
条件4: 315-500Hzと重複のある範囲で、0.51〜2.87Q（0.5〜2.5オクターブ）の幅で連続的に3dB以上相対的に減衰
条件5: 630-1000Hzと重複のある範囲で、0.40〜1.41Q（1〜3オクターブ）の幅で連続的に1.5dB以上相対的に減衰
条件6: 630-1000Hzと重複のある範囲で、0.40〜2.87Q（0.5〜3オクターブ）の幅で連続的に3dB以上相対的に減衰
条件7: 1250-2000Hzと重複のある範囲で、0.40〜0.92Q（1.5〜3オクターブ）の幅で連続的に1.5dB以上相対的に減衰
条件8: 1250-2000Hzと重複のある範囲で、0.67〜2.87Q（0.5〜2オクターブ）の幅で連続的に3dB以上相対的に減衰
【００４８】
なお、「相対的に減衰」としているのは、他の周波数帯域を一律に増幅させ、さらに全体の音量を下げることで、条件で指定されている周波数帯域を相対的に減衰させ、上記の効果を発生させられるためである。具体的に、「相対的に減衰」の基準として、８０〜４０００Hzを除く可聴域２０Hz〜２００００Hzを対数軸で表したときのデシベルの中央値を採用する。平均値ではなく中央値を採用したのは、平均値の場合、ハウリングを抑制するなどの目的で局所的な周波数帯域を大きく減衰させるような処理を行った場合、音量への影響は少なくても変化量が大きくなるためである。
【産業上の利用可能性】
【００４９】
本発明は楽曲の再生品質と会話の聞き取りやすさを両立させる音響効果を付与する装置、特にエフェクター、オーディオ再生装置、ミキサー、アンプ、あるいはスピーカーのいずれかに変調部を組み込んだ構成に利用することができる。
【符号の説明】
【００５０】
１  音響信号
２  入力部
３  変調部
４  出力部
５  変調した音響信号
６  表示部
【図１】
2020028028.tif 000007
【図２】
2020028028.tif 000008
【図３】
2020028028.tif 000009
【図４】
2020028028.tif 000010
【図５】
2020028028.tif 000011
【図６】
2020028028.tif 000012
【図７】
2020028028.tif 000013
【図８】
2020028028.tif 000014
【図９】
2020028028.tif 000015
【図１０】
2020028028.tif 000016